(57)【要約】【課題】収納対象の物品を吊り下げるための棒状部材の落下を防止できること。【解決手段】本発明の一態様にかかる収納家具は、収納対象の物品を着脱自在に吊り下げるための棒状部材と、棒状部材を架設する架設部材と、架設部材を挟んで対向するように配置される一対の板部材とを備える。架設部材には、棒状部材の各棒端部を各々挿入する一対の挿入部が形成される。この架設部材は、棒状部材のうちの物品が吊り下げられる中途部を露出した状態にして、各棒端部を各々挿入した一対の挿入部の間に棒状部材を架設する。一対の板部材の対向する各壁面には、架設部材の幅方向の側端部を嵌合し且つ側端部の下面を支持する嵌合凹溝が各々形成される。一対の板部材は、架設部材の幅方向の各側端部を各嵌合凹溝に各々嵌合して、架設部材を挟持するとともに、棒状部材の各棒端部が各々挿入された一対の挿入部の少なくとも各開口の一部を各々覆う。【選択図】図３
2016077802.tif 000002
【特許請求の範囲】
【請求項１】
収納対象の物品を着脱自在に吊り下げるための棒状部材と、
前記棒状部材の長手方向の各棒端部を各々挿入する一対の挿入部が形成され、前記棒状部材のうちの前記各棒端部間の部分であって前記物品が吊り下げられる中途部を露出した状態にして、前記各棒端部を各々挿入した前記一対の挿入部の間に前記棒状部材を架設する架設部材と、
前記架設部材を挟んで対向するように配置される一対の板部材と、
を備え、
前記一対の板部材の対向する各壁面には、前記架設部材の幅方向の側端部を嵌合し且つ前記側端部の下面を支持する嵌合凹溝が各々形成され、
前記一対の板部材は、前記架設部材の幅方向の各側端部を前記各壁面の嵌合凹溝に各々嵌合して、前記架設部材を挟持するとともに、前記各棒端部が各々挿入された前記一対の挿入部の少なくとも各開口の一部を各々覆うことを特徴とする収納家具。
【請求項２】
前記一対の挿入部は、各々、前記棒状部材の長手方向に平行な貫通孔であり、
前記一対の板部材は、前記架設部材の幅方向の各側端部を前記各壁面の嵌合凹溝に各々嵌合して、前記各棒端部が各々挿入された前記一対の挿入部の各開口を各々閉塞することを特徴とする請求項１に記載の収納家具。
【請求項３】
前記各壁面の嵌合凹溝よりも上方において前記一対の板部材同士を連結し、前記一対の板部材間における空間の上端を閉塞するとともに前記架設部材の上面に当接する閉塞板をさらに備えたことを特徴とする請求項１または２に記載の収納家具。
【請求項４】
前記閉塞板の下面には、前記架設部材の上端部を嵌合する下向き嵌合凹溝が形成されることを特徴とする請求項３に記載の収納家具。
【請求項５】
前記下向き嵌合凹溝は、前記一対の板部材における前記各壁面の嵌合凹溝と連続することを特徴とする請求項４に記載の収納家具。
【請求項６】
前記閉塞板は、前記一対の板部材のうちの一方と接合された状態で前記下向き嵌合凹溝に前記架設部材の上端部を嵌合することを特徴とする請求項４または５に記載の収納家具。
【発明の詳細な説明】
【技術分野】
【０００１】
本発明は、物品を収納する収納家具に関するものである。
【背景技術】
【０００２】
従来から、筐体内に設けられた棒状部材に衣服等の物品を吊り下げて収納する収納家具が公知である。以下、収納家具は、このような棒状部材に物品を吊り下げて収納するタイプの家具を意味する。
【０００３】
一般に、収納家具において、筐体は物品の収納空間を形成し、棒状部材は、この筐体の対向する各内壁面をなす一対の板部材（例えば側板等）の間に、支持部材等を用いて架設される。このように架設された棒状部材は、収納家具の筐体による収納空間内に物品を着脱自在に吊り下げることができる。
【０００４】
例えば、使用者は、収納したい物品を、筐体による収納空間内に入れて棒状部材に吊り下げ、これにより、この物品を収納家具内に収納する。また、使用者は、この棒状部材から所望の物品を外して、この所望の物品を収納家具から取り出す。
【０００５】
一方、上述した棒状部材を支持する支持部材は、例えば、収納家具の筐体の対向する各内壁面、または、収納家具の筐体に設けられた棚板の下面に、予め固定配置されている（特許文献１，２参照）。特許文献１，２に例示されるように、支持部材は、収納家具の高さ方向の上方に開口した構造の凹部を有し、この凹部内に棒状部材の長さ方向の端部（以下、棒端部という）を着脱自在に収容する。これにより、筐体内の各支持部材は、棒状部材の各棒端部を各々支持して、筐体の対向する各内壁面間における棒状部材の着脱自在な架設を実現している。このような構造の支持部材は、上方に向く凹部の開口を通じて棒状部材の棒端部を容易に出し入れできることから、収納家具の組み立て、特に、筐体への棒状部材の取り付けを容易にすることに有効である。
【先行技術文献】
【特許文献】
【０００６】
【特許文献１】実用新案登録第３０８７０６９号公報
【特許文献２】特許第３８２８４４２号公報
【発明の概要】
【発明が解決しようとする課題】
【０００７】
しかしながら、上述した従来技術では、収納家具に対して物品を出し入れする際、使用者が直接的または間接的に棒状部材と不用意に接触し、これに起因して、棒状部材が意図せず上方または斜め上方へ持ち上がり、この結果、支持部材の凹部から棒状部材の棒端部が抜け出て、棒状部材が落下してしまうという問題がある。また、棒状部材に物品を吊り下げる等して、棒状部材に過度な荷重が加えられた際、この棒状部材の中央部に下方のモーメントが作用して棒状部材が下向きに撓むとともに、この棒状部材の各棒端部に上方のモーメントが作用し、この結果、これらの各棒端部が上方または斜め上方に持ち上がって支持部材の凹部から抜け出る虞がある。この場合も同様に、棒状部材が落下するという問題がある。
【０００８】
本発明は、上記に鑑みてなされたものであって、収納対象の物品を吊り下げるための棒状部材の落下を防止することができる収納家具を提供することを目的とする。
【課題を解決するための手段】
【０００９】
上述した課題を解決し、目的を達成するために、本発明にかかる収納家具は、収納対象の物品を着脱自在に吊り下げるための棒状部材と、前記棒状部材の長手方向の各棒端部を各々挿入する一対の挿入部が形成され、前記棒状部材のうちの前記各棒端部間の部分であって前記物品が吊り下げられる中途部を露出した状態にして、前記各棒端部を各々挿入した前記一対の挿入部の間に前記棒状部材を架設する架設部材と、前記架設部材を挟んで対向するように配置される一対の板部材と、を備え、前記一対の板部材の対向する各壁面には、前記架設部材の幅方向の側端部を嵌合し且つ前記側端部の下面を支持する嵌合凹溝が各々形成され、前記一対の板部材は、前記架設部材の幅方向の各側端部を前記各壁面の嵌合凹溝に各々嵌合して、前記架設部材を挟持するとともに、前記各棒端部が各々挿入された前記一対の挿入部の少なくとも各開口の一部を各々覆うことを特徴とする。
【００１０】
また、本発明にかかる収納家具は、上記の発明において、前記一対の挿入部は、各々、前記棒状部材の長手方向に平行な貫通孔であり、前記一対の板部材は、前記架設部材の幅方向の各側端部を前記各壁面の嵌合凹溝に各々嵌合して、前記各棒端部が各々挿入された前記一対の挿入部の各開口を各々閉塞することを特徴とする。
【００１１】
また、本発明にかかる収納家具は、上記の発明において、前記各壁面の嵌合凹溝よりも上方において前記一対の板部材同士を連結し、前記一対の板部材間における空間の上端を閉塞するとともに前記架設部材の上面に当接する閉塞板をさらに備えたことを特徴とする。
【００１２】
また、本発明にかかる収納家具は、上記の発明において、前記閉塞板の下面には、前記架設部材の上端部を嵌合する下向き嵌合凹溝が形成されることを特徴とする。
【００１３】
また、本発明にかかる収納家具は、上記の発明において、前記下向き嵌合凹溝は、前記一対の板部材における前記各壁面の嵌合凹溝と連続することを特徴とする。
【００１４】
また、本発明にかかる収納家具は、上記の発明において、前記閉塞板は、前記一対の板部材のうちの一方と接合された状態で前記下向き嵌合凹溝に前記架設部材の上端部を嵌合することを特徴とする。
【発明の効果】
【００１５】
本発明によれば、収納対象の物品を吊り下げるための棒状部材の落下を防止することができるという効果を奏する。
【図面の簡単な説明】
【００１６】
【図１】図１は、本発明の実施の形態にかかる収納家具の一構成例を示す斜視図である。
【図２】図２は、本発明の実施の形態にかかる収納家具の一構成例を示す側面図である。
【図３】図３は、本発明の実施の形態にかかる収納家具の一構成例を示す正面図である。
【図４】図４は、本発明の実施の形態にかかる収納家具の棒状部材および架設部材の各構成例を示す図である。
【図５】図５は、本発明の実施の形態にかかる収納家具の筐体の内壁面に形成された嵌合凹溝および下向き嵌合凹溝の一構成例を示す図である。
【図６】図６は、嵌合凹溝および下向き嵌合凹溝に架設部材を嵌合した状態の一例を示す図である。
【図７】図７は、架設部材の上端部を下向き嵌合凹溝に嵌合した状態の一例を示す図である。
【図８】図８は、本発明の実施の形態にかかる収納家具に物品を収納した状態の一例を示す図である。
【図９】図９は、架設部材への棒状部材の取り付けを説明する図である。
【図１０】図１０は、棒状部材を設けた架設部材と一対の側板と天板と底板との取り付けを説明する図である。
【図１１】図１１は、本発明の実施の形態にかかる収納家具の棒状部材および架設部材の各変形例を示す図である。
【図１２】図１２は、変形例である架設部材の側端部が収納家具の側板の嵌合凹溝に嵌合された状態を例示する断面図である。
【発明を実施するための形態】
【００１７】
以下に、添付図面を参照して、本発明にかかる収納家具の好適な実施の形態について詳細に説明する。なお、本実施の形態により、本発明が限定されるものではない。また、図面は模式的なものであり、各要素の寸法の関係、各要素の比率等は、現実のものとは異なる場合があることに留意する必要がある。図面の相互間においても、互いの寸法の関係や比率が異なる部分が含まれている場合がある。また、各図面において、同一構成部分には同一符号が付されている。
【００１８】
（収納家具の構成）
まず、本発明の実施の形態にかかる収納家具の構成について説明する。図１は、本発明の実施の形態にかかる収納家具の一構成例を示す斜視図である。図２は、本発明の実施の形態にかかる収納家具の一構成例を示す側面図である。図３は、本発明の実施の形態にかかる収納家具の一構成例を示す正面図である。
【００１９】
図１〜３に示すように、本発明の実施の形態にかかる収納家具１は、収納空間１０内に物品を吊り下げて収納するタイプの自立式の家具である。この収納家具１は、収納空間１０内において物品を着脱自在に吊り下げる棒状部材２と、収納空間１０内に棒状部材２を架設する架設部材３と、物品の収納空間１０を形成する筐体４と、筐体４を自立させる脚部９ａ〜９ｄとを備える。
【００２０】
棒状部材２および架設部材３は、収納対象の物品を収納空間１０内に吊り下げるために必要な収納家具１の構成部材である。図４は、本発明の実施の形態にかかる収納家具の棒状部材および架設部材の各構成例を示す図である。
【００２１】
棒状部材２は、収納家具１に収納する収納対象の物品を着脱自在に吊り下げるためのものである。具体的には、棒状部材２は、金属または木材等の素材を用いて棒状に形成される中空または中実の部材である。図４に示すように、棒状部材２の長手方向の長さは、架設部材３の幅（幅方向Ｆ１１の両側端面間の長さ）に比べて短く、架設部材３における一対の挿入部１４，１５間の間隙に比べて長く設定される。また、棒状部材２の外径は、一対の挿入部１４，１５に各棒端部２ａ，２ｂを各々挿入または嵌入できるように、各挿入部１４，１５の内径に比べて若干小さく設定される。このような構造の棒状部材２は、図４に示すように、その長手方向両側の各棒端部２ａ，２ｂを架設部材３の一対の挿入部１４，１５に各々挿入して収めた状態で架設部材３に設けられる。
【００２２】
架設部材３は、収納家具１の筐体４内に棒状部材２を架設する部材である。具体的には、架設部材３は、木材等の素材を用いて構成され、図４に示すように、その幅方向Ｆ１１における両側の各所定部位が他の部位に比べて高さ方向Ｆ１２の下側に延出する形状に形成される。このような架設部材３の幅方向Ｆ１１における両側の延出部位には、図４に示すように、棒状部材２の長手方向の各棒端部２ａ，２ｂを各々挿入する一対の挿入部１４，１５が形成される。
【００２３】
本実施の形態において、一対の挿入部１４，１５は、各々、棒状部材２の長手方向に平行な貫通孔である。すなわち、図４に示すように、一方の挿入部１４は、この架設部材３における一方の延出部位を幅方向Ｆ１１に貫通する貫通孔であり、架設部材３の幅方向Ｆ１１の側端部３ａにおける外側端面（例えば幅方向Ｆ１１の右側端面）に開口部１４ａを有する。他方の挿入部１５は、この架設部材３における他方の延出部位を幅方向Ｆ１１に貫通する貫通孔であり、架設部材３の幅方向Ｆ１１の側端部３ｂにおける外側端面（例えば幅方向Ｆ１１の左側端面）に開口部１５ａを有する。また、これら一対の挿入部１４，１５は、各々、架設部材３の幅方向Ｆ１１に対向する開口部を有する。なお、一対の挿入部１４，１５は、棒状部材３の長手方向に平行であり且つ各棒端部２ａ，２ｂを挿入して嵌合する嵌合孔であってもよい。
【００２４】
上述したような構造の架設部材３は、図４に示すように、一対の挿入部１４，１５に各々挿入した棒状部材３の各棒端部２ａ，２ｂを支持し、これにより、棒状部材３自体を支持する。この際、架設部材３は、図４に示すように、棒状部材２のうちの各棒端部２ａ，２ｂ間の部分である中途部２ｃを露出した状態にして、各棒端部２ａ，２ｂを各々挿入した一対の挿入部１４，１５の間に棒状部材２を架設する。なお、棒状部材２の中途部２ｃは、図１，３に示す収納家具１の収納空間１０内において収納対象の物品が吊り下げられる部分である。
【００２５】
ここで、架設部材３は、図４に示すように棒状部材２を支持した状態において、一対の挿入部１４，１５の各内周面１４ｂ，１５ｂにより、各棒端部２ａ，２ｂからの荷重を各々受け止める。特に、棒状部材２に収納対象の物品が吊り下げられる等して棒状部材２が高さ方向Ｆ１２に撓んだ際、架設部材３は、一対の挿入部１４，１５の各内周面１４ｂ，１５ｂの上面および下面によって各棒端部２ａ，２ｂからの荷重を各々受け止める。この際、架設部材３は、これらの各内周面１４ｂ，１５ｂの上面および下面によって各棒端部２ａ，２ｂの撓み変形を抑止するとともに、これらの各内周面１４ｂ，１５ｂの上面および下面と各棒端部２ａ，２ｂとの摩擦力によって各棒端部２ａ，２ｂの移動を抑止する。これにより、架設部材３は、棒状部材２の撓み変形に起因して一対の挿入部１４，１５から各棒端部２ａ，２ｂが抜け出る事態を防止する。
【００２６】
上述したように棒状部材２を支持した状態の架設部材３は、図１〜３に示すように、収納家具１の筐体４の内壁面に固定される。この際、図４に示す架設部材３の一方の側端部３ａは、筐体４の側板５の内壁面５ａに形成された嵌合凹溝１１（図３参照）に嵌合され、且つ、この側端部３ａの下面３ｄは、この嵌合凹溝１１の内面（後述する受面１１ａ）によって支持される。これと同時に、架設部材３における一方の挿入部１４の開口部１４ａは、この嵌合凹溝１１によって閉塞される。また、図４に示す架設部材３の他方の側端部３ｂは、筐体４の側板６の内壁面６ａに形成された嵌合凹溝１２（図３参照）に嵌合され、且つ、この側端部３ｂの下面３ｅは、この嵌合凹溝１２の内面（後述する受面１２ａ）によって支持される。これと同時に、架設部材３における他方の挿入部１５の開口部１５ａは、この嵌合凹溝１２によって閉塞される。一方、図４に示す架設部材３の上端部３ｃは、筐体４の天板７の内壁面（後述する下面７ａ）に形成された下向き嵌合凹溝１３（図２，３参照）に嵌合される。
【００２７】
このように筐体４の内壁面に固定された状態の架設部材３は、図１，３に示すように、筐体４の対向する一対の側板５，６の各内壁面５ａ，６ａ間に棒状部材２を架設する。これと同時に、この架設部材３は、収納家具１の奥行き方向Ｆ３の手前および奥の両側に開放した態様の筐体４の強度、詳細には、収納家具１の幅方向Ｆ１における筐体４の強度を補強する。すなわち、この架設部材３は、筐体４の幅方向Ｆ１の強度を補強して、筐体４の幅方向Ｆ１の歪み変形を防止する補強部材としての機能を兼ね備える。
【００２８】
なお、上述した架設部材３は、図４に示す一対の挿入部１４，１５間における内周面１４ｂ，１５ｂの高さ方向Ｆ１２の位置や各側端部３ａ，３ｂ間における下面３ｄ，３ｅの高さ方向Ｆ１２の位置を各々揃えるという観点から、その幅方向Ｆ１１の中央部を中心にして対称に形成されることが望ましい。
【００２９】
一方、筐体４は、図１〜３に示すように、収納家具１の幅方向Ｆ１に対向する一対の側板５，６と、収納家具１の高さ方向Ｆ２に対向する天板７および底板８とを備える。また、筐体４の内壁面には、上述した架設部材３を嵌合固定するための嵌合凹溝１１，１２および下向き嵌合凹溝１３が形成される。図５は、本発明の実施の形態にかかる収納家具の筐体の内壁面に形成された嵌合凹溝および下向き嵌合凹溝の一構成例を示す図である。図６は、嵌合凹溝および下向き嵌合凹溝に架設部材を嵌合した状態の一例を示す図である。なお、図６には、図２に示す収納家具１のＡ−Ａ線断面の概略構成が図示されている。図７は、架設部材の上端部を下向き嵌合凹溝に嵌合した状態の一例を示す図である。なお、図７には、図３に示す収納家具１のＢ−Ｂ線断面の概略構成が図示されている。
【００３０】
側板５，６は、筐体４の幅方向Ｆ１に対向する各側壁をなす一対の板部材である。具体的には、側板５，６は、木材等の素材を用いて構成され、図１，３に示すように、架設部材３を挟んで対向するように配置される。これら一対の側板５，６の対向する各内壁面５ａ，６ａには、嵌合凹溝１１，１２が各々形成される。
【００３１】
側板５に形成される嵌合凹溝１１は、図５に示すように、側板５の内壁面５ａから凹み且つ高さ方向Ｆ２を長手とする凹形状の溝であり、高さ方向Ｆ２の上方と、互いに対向する各側板５，６の内壁面５ａから内壁面６ａに向かう方向とに開口する。また、嵌合凹溝１１は、高さ方向Ｆ２の下方に受面１１ａを有する。このような嵌合凹溝１１は、図６に示すように、架設部材３の幅方向Ｆ１１の側端部３ａを嵌合し、且つ、この側端部３ａの下面３ｄを、受面１１ａによって受けて支持する。
【００３２】
側板６に形成される嵌合凹溝１２は、図５に示すように、側板６の内壁面６ａから凹み且つ高さ方向Ｆ２を長手とする凹形状の溝であり、高さ方向Ｆ２の上方と、互いに対向する各側板５，６の内壁面６ａから内壁面５ａに向かう方向とに開口する。また、嵌合凹溝１２は、高さ方向Ｆ２の下方に受面１２ａを有する。このような嵌合凹溝１２は、図６に示すように、架設部材３の幅方向Ｆ１１の側端部３ｂを嵌合し、且つ、この側端部３ｂの下面３ｅを、受面１２ａによって受けて支持する。
【００３３】
上述した嵌合凹溝１１，１２を各々有する一対の側板５，６は、図５，６に示すように、各嵌合凹溝１１，１２が収納家具１の高さ方向Ｆ２に対して略平行となり且つ収納家具１の幅方向Ｆ１に開口同士を対向させるように、対向配置される。これらの対向する一対の側板５，６において、各内壁面５ａ，６ａ間の距離Ｌ１は、架設部材３の幅Ｗ（幅方向Ｆ１１の長さ）に比べて短くなり、各嵌合凹溝１１，１２の深部間の距離Ｌ２は、架設部材３の幅Ｗ以上になる。望ましくは、この距離Ｌ２は、架設部材３の幅Ｗとほぼ同じ長さに設定される。
【００３４】
このような一対の側板５，６は、図６に示すように、架設部材３の幅方向Ｆ１１の各側端部３ａ，３ｂを各内壁面５ａ，５ｂの嵌合凹溝１１，１２に各々嵌合して、架設部材３を挟持する。これとともに、一対の側板５，６は、図６に示すように、棒状部材２の各棒端部２ａ，２ｂが各々挿入された一対の挿入部１４，１５の少なくとも開口の一部を各々覆う。この際、一対の側板５，６は、嵌合凹溝１１に側端部３ａを嵌合して挿入部１４の開口部１４ａ全体を嵌合凹溝１１内に収容し、且つ、嵌合凹溝１２に側端部３ｂを嵌合して挿入部１５の開口部１５ａ全体を嵌合凹溝１２内に収容する。このようにして、一対の側板５，６は、各棒端部２ａ，２ｂが各々挿入された一対の挿入部１４，１５の各開口部１４ａ，１５ａを各嵌合凹溝１１，１２内に各々閉塞する。これにより、一対の側板５，６は、架設部材３の幅方向Ｆ１１への棒状部材２の移動を制限し、この結果、一対の挿入部１４，１５から各棒端部２ａ，２ｂが抜け出る事態を防止して、架設部材３からの棒状部材２の落下を防止する。
【００３５】
また、一対の側板５，６は、上述したように架設部材３を挟持することにより、架設部材３をその幅方向Ｆ１１から支持するとともに、架設部材３の各側端部３ａ，３ｂの下面３ｄ，３ｅを各嵌合凹溝１１，１２の受面１１ａ，１２ａによって各々支持する。この結果、一対の側板５，６は、収納家具１の幅方向Ｆ１への架設部材３の移動を抑止するとともに、架設部材３からの下向きの荷重を各嵌合凹溝１１，１２の受面１１ａ，１２ａによって受け止めて、各嵌合凹溝１１，１２からの架設部材３の脱落を防止する。
【００３６】
天板７は、一対の側板５，６における各内壁面５ａ，５ｂの嵌合凹溝１１，１２よりも高さ方向Ｆ２の上方において、一対の側板５，６同士を連結する板部材である。具体的には、天板７は、木材等の素材を用いて構成され、図１〜３に示すように、一対の側板５，６の各上端部に接合されて一対の側板５，６同士をその対向方向に連結するとともに、筐体４の高さ方向Ｆ２の上端壁をなす。本実施の形態において、天板７は、一対の側板５，６間における空間である収納空間１０（図１，３参照）の上端を閉塞するとともに、上述したように一対の側板５，６間に取り付けられた架設部材３の上面に当接する閉塞板として機能する。
【００３７】
また、天板７の収納空間１０に面する内壁面、すなわち、図５に示す天板７の下面７ａには、架設部材３の上端部３ｃ（図４参照）を嵌合する下向き嵌合凹溝１３が形成される。下向き嵌合凹溝１３は、図５，７に示すように、天板７の下面７ａから凹み且つ幅方向Ｆ１を長手とする凹形状の溝であり、幅方向Ｆ１の両側（例えば右側および左側）の方向と高さ方向Ｆ２の下方とに開口する。このような下向き嵌合凹溝１３は、図５に示すように、一対の側板５，６における各内壁部５ａ，６ａの嵌合凹溝１１，１２と連続し、図６，７に示すように、架設部材３の高さ方向Ｆ１２（収納家具１の高さ方向Ｆ２と同じ方向）の上端部３ｃをその幅方向Ｆ１１の全域に亘って嵌合する。一方、上述した嵌合凹溝１１，１２は、図６に示すように、架設部材３の各側端部３ａ，３ｂをその高さ方向Ｆ１２の全域に亘って嵌合する。すなわち、図５に示すように下向き嵌合凹溝１３の両側の開口に嵌合凹溝１１，１２を各々連続させてなる一連の嵌合凹溝は、図６，７に示すように、架設部材３の両側の側端部３ａ，３ｂおよび上端部３ｃの全域を嵌合する。
【００３８】
上述した下向き嵌合凹溝１３を有する天板７は、一対の側板５，６の上端部に接合されて収納空間１０（図１，３参照）の上端を閉塞するとともに、下向き嵌合凹溝１３に架設部材３の上端部３ｃ全域を嵌合して、この上端部３ｃの上面に当接する。これにより、天板７は、一対の側板５，６間に取り付けられた架設部材３の高さ方向Ｆ１２の移動を抑止し、この結果、一対の側板５，６の上方から架設部材３が抜け出る事態を防止して、筐体４からの架設部材３の落下を防止する。さらに、天板７は、一対の側板５，６間に取り付けられた架設部材３の面直方向（収納家具１の奥行き方向Ｆ３）への歪み変形等による変位を防止する。
【００３９】
底板８は、木材等の素材を用いて構成され、図１〜３に示すように、一対の側板５，６の各下端部に接合されて、筐体４の高さ方向Ｆ２の下端壁をなす板部材である。この底板８の外壁面、すなわち、底板８における高さ方向Ｆ２の下側の面（下面）には、図１〜３に示すように、脚部９ａ〜９ｄが固定配置される。脚部９ａ〜９ｄは、底板８を下方から支持し、この底板８の支持を通じて、収納家具１の筐体４を自立させる。
【００４０】
ここで、本実施の形態にかかる収納家具１において、筐体４は、図１〜３に示すように、上述した側板５，６と天板７と底板８とによって構成される。筐体４は、これらの側板５，６と天板７と底板８とによって囲まれる内部空間を、図１，３に示すように、物品の収納空間１０として形成する。この筐体４による収納空間１０は、収納家具１の奥行き方向Ｆ３の手前側および奥側の双方に開放したオープン型の空間である。このような収納家具１に対しては、収納対象の物品を奥行き方向Ｆ３の手前側および奥側の双方から出し入れすることができる。
【００４１】
図８は、本発明の実施の形態にかかる収納家具に物品を収納した状態の一例を示す図である。図８に示すように、筐体４による収納空間１０は、各側板５，６同士の対向方向（幅方向Ｆ１）と天板７および底板８同士の対向方向（高さ方向Ｆ２）とに垂直な方向、すなわち、収納家具１の奥行き方向Ｆ３に開放された空間である。使用者は、脚部９ａ〜９ｄによって自立した状態の収納家具１に対し、収納対象である衣服等の物品２０を、奥行き方向Ｆ３の手前側または奥側のいずれか所望の方から収納空間１０内へ入れる。その後、使用者は、収納空間１０内に入れた物品２０を棒状部材２に吊り下げる。このようにして、物品２０は、図８に示すように収納家具１に収納される。一方、この収納家具１から物品２０を取り出す際、使用者は、棒状部材２から物品２０を外し、その後、奥行き方向Ｆ３の手前側または奥側のいずれか所望の方から収納空間１０外へ物品２０を出す。なお、収納対象の物品２０は、図８に示すような衣服に限定されず、ベルトやネクタイ等の長尺な物品、帽子やズボン等の身に着ける物品、あるいは、フックを備えた籠等の収納ケースに入れられた各種物品等、所望の物品であってもよい。
【００４２】
ここで、本実施の形態では、収納家具１の幅方向Ｆ１、高さ方向Ｆ２、および奥行き方向Ｆ３が、図１〜３に示すように定義される。すなわち、収納家具１の幅方向Ｆ１は、側板５，６同士の対向方向に対して平行な方向であり、収納家具１の高さ方向Ｆ２および奥行き方向Ｆ３に対して垂直である。収納家具１の高さ方向Ｆ２は、脚部９ａ〜９ｄによって床面等に自立（起立）した状態の収納家具１の上下方向であり、収納家具１の幅方向Ｆ１および奥行き方向Ｆ３に対して垂直である。収納家具１の奥行き方向Ｆ３は、物品収納のために収納家具１を使用する使用者（図示せず）が収納家具１に向かう方向である。この奥行き方向Ｆ３は、側板５，６同士の対向方向と、天板７および底板８同士の対向方向との双方に対して垂直である。これらの幅方向Ｆ１、高さ方向Ｆ２、および奥行き方向Ｆ３は、収納家具１を構成する側板５，６等の各構成部についても同様である。
【００４３】
例えば、収納家具１の一構成部である架設部材３において、幅方向Ｆ１１は、収納家具１の幅方向Ｆ１と同じ方向であり、高さ方向Ｆ１２は、収納家具１の高さ方向Ｆ２と同じ方向である。なお、特に図示しないが、架設部材３の面直方向は、架設部材３の厚さ方向であって、上述した収納家具１の幅方向Ｆ１および高さ方向Ｆ２に対して垂直である。
【００４４】
（収納家具の組立方法）
つぎに、本発明の実施の形態にかかる収納家具１の組立方法について説明する。図９は、架設部材への棒状部材の取り付けを説明する図である。図１０は、棒状部材を設けた架設部材と一対の側板と天板と底板との取り付けを説明する図である。
【００４５】
本発明の実施の形態にかかる収納家具１の組立方法において、架設部材３の各挿入部１４，１５には、図９に示すように、棒状部材２が挿入される。この際、棒状部材２は、例えば、架設部材３の側端部３ｂの方から一方の挿入部１５内に挿入される。続いて、棒状部材２は、この挿入部１５内を通って他方の挿入部１４内に挿入される。これにより、棒状部材２は、挿入方向後尾の棒端部２ｂを一方の挿入部１５内に挿入し且つ挿入方向先頭の棒端部２ａを他方の挿入部１４内に挿入した状態にする。この状態において、架設部材３は、棒状部材２の中途部２ｃを一対の挿入部１４，１５間に露出させた状態にするとともに、これらの各棒端部２ａ，２ｂを支持して、これら一対の挿入部１４，１５間に棒状部材２を架設する（図４参照）。なお、棒状部材２は、架設部材３の側端部３ａの方から一方の挿入部１４内に挿入され、続いて、この挿入部１４内を通って他方の挿入部１５内に挿入されてもよい。
【００４６】
上述したように棒状部材２を架設した状態の架設部材３（以下、棒取付済みの架設部材３と適宜いう）は、図１０に示すように、側板５および天板７のＬ字状接合体の内壁に取り付けられる。このＬ字状接合体は、側板５と天板７とを予め接合して形成される。この際、側板５の内壁面５ａの嵌合凹溝１１と天板７の下面７ａの下向き嵌合凹溝１３とがＬ字状に連続するように、側板５の上端部と天板７の幅方向端部とが、ビス等を用いて接合される。棒取付済みの架設部材３は、側板５および天板７のＬ字状接合体における一連の嵌合凹溝１１および下向き嵌合凹溝１３に嵌め込まれる。
【００４７】
詳細には、側板５は、棒取付済みの架設部材３の側端部３ａを嵌合凹溝１１に嵌合する。これにより、側板５は、この側端部３ａの下面３ｄを嵌合凹溝１１の受面１１ａによって支持するとともに、この棒取付済みの架設部材３における挿入部１４の開口部１４ａを嵌合凹溝１１内に閉塞する。これに並行して、天板７は、一対の側板５，６のうちの一方の側板５と接合された状態で下向き嵌合凹溝１３に棒取付済みの架設部材３の上端部３ｃを嵌合する。
【００４８】
一方、上述したように側板５および天板７のＬ字状接合体と棒取付済みの架設部材３とを取り付けてなる構造体（以下、中間構造体と適宜いう）に対して側板６および底板８のＬ字状接合体を取り付ける前に、このＬ字状接合体が、側板６と底板８との接合によって予め形成される。ここで、側板６の内壁面６ａには、上述したように、嵌合凹溝１２が形成されている。側板６は、その長手方向の両側端部のうち、嵌合凹溝１２が形成されている端部を上端部とし、この上端部と反対側の端部（嵌合凹溝１２が形成されていない端部）を下端部とする。この側板６の下端部と底板８の幅方向端部とがビス等を用いて接合され、これにより、側板６および底板８のＬ字状接合体が形成される。
【００４９】
このように形成された側板６および底板８のＬ字状接合体は、図１０に示すように、上述した中間構造体に取り付けられる。詳細には、側板６の内壁面６ａの嵌合凹溝１２と天板７の下面７ａの下向き嵌合凹溝１３とがＬ字状に連続するように、側端部６の上端部と天板７の幅方向端部とがビス等を用いて接合される。この際、側板６は、棒取付済みの架設部材３の側端部３ｂを嵌合凹溝１２に嵌合する。これにより、側板６は、この側端部３ｂの下面３ｅを嵌合凹溝１２の受面１２ａによって支持するとともに、この棒取付済みの架設部材３における挿入部１５の開口部１５ａを嵌合凹溝１２内に閉塞する。一方、底板８の幅方向端部と側板５の下端部とがビス等を用いて接合される。
【００５０】
上述したようにして、棒取付済みの架設部材３の各側端部３ａ，３ｂおよび上端部３ｃの全域が、嵌合凹溝１１，１２および下向き嵌合凹溝１３の連続した一連の嵌合凹溝に嵌合されるとともに、この棒取付済みの架設部材３を内壁側に取り付けられた筐体４が組み立てられる。このように組み立てられた筐体４において、棒取付済みの架設部材３は、一対の側板５，６の各嵌合凹溝１１，１２によって幅方向Ｆ１から挟持されるとともに、天板７の下向き嵌合凹溝１３と各嵌合凹溝１１，１２の受面１１ａ，１２ａとによって高さ方向Ｆ２から挟持される。棒状部材２は、このように筐体４の内壁側に取り付けられた架設部材３によって支持されながら、図１，３等に示すように、筐体４の対向する各側板５，６間に架設される。
【００５１】
その後、筐体４の底板８の外壁面には、脚部９ａ〜９ｄが、螺子止め等によって取り付けられて固定される。以上のようにして、図１等に示すような収納家具１の組み立てが完了する。なお、脚部９ａ〜９ｄは、筐体４が組み立てられる前に底板８の外壁面（下面）に予め取り付けられてもよい。
【００５２】
以上、説明したように、本発明の実施の形態では、収納対象の物品を着脱自在に吊り下げるための棒状部材の長手方向における各棒端部を、架設部材に形成した一対の挿入部に各々挿入して、これら一対の挿入部間に棒状部材の中途部を露出した状態にしながら架設部材に棒状部材を架設している。また、架設部材を挟んで対向するように配置される一対の側板の各対向面に嵌合凹溝を各々形成し、形成した各嵌合凹溝に架設部材の幅方向の各側端部を各々嵌合し、且つ、これら各側端部の下面を各嵌合凹溝の受面によって支持して、これら一対の側板間に架設部材を挟持し、これとともに、棒状部材の各棒端部が各々挿入された状態にある一対の挿入部の少なくとも各開口の一部を各々覆うようにしている。
【００５３】
このため、架設部材の一対の挿入部に各々挿入した棒状部材の各棒端部の移動範囲をこれら一対の挿入部内に制限するとともに、棒状部材に加わる荷重や自重等の力を、架設部材を介し各嵌合凹溝の内壁面によって受け止めることができる。これにより、架設部材から上方、下方、側方等のいずれの方向にも棒状部材が抜け出る事態を防止するとともに、架設部材が棒状部材を伴って一対の側板の各対向面間から脱落する事態を防止することができる。この結果、一対の側板の各対向面間に棒状部材を強固に架設できることから、収納対象の物品を吊り下げるための棒状部材の落下を防止することができる。
【００５４】
また、架設部材の一対の挿入部に棒状部材の各棒端部を挿入して、これらの架設部材と棒状部材とを一つのユニットにし、この棒状部材とユニット化した架設部材の各側端部を一対の側板の各嵌合凹溝に各々嵌合している。このため、棒状部材と架設部材とを一つのユニットとして取り扱いながら、一対の側板間への棒状部材および架設部材の取付作業が行えるとともに、架設部材に対してビス等の固定部品を用いることなく、一対の側板間に架設部材を取り付けて棒状部材を架設することができる。この結果、固定部品や螺子穴等による収納家具の美観への影響を可能な限り低減して、収納家具の良好な美観を確保できるとともに、一対の側板間に棒状部材を簡易に架設することができる。
【００５５】
さらに、本発明の実施の形態では、上述した架設部材に形成される一対の挿入部を、棒状部材の長手方向に平行な貫通孔とし、棒状部材の各棒端部が挿入された一対の挿入部の各開口を、一対の側板の各嵌合凹溝によって各々閉塞している。
【００５６】
このため、一対の挿入部内に棒状部材の各棒端部を確実に閉じ込めるとともに、これら一対の挿入部の各内周面によって、棒状部材の各棒端部を支持しながら、この棒状部材からの荷重を受け止めることができる。特に、使用者と棒状部材との直接的または間接的な接触による外力、あるいは、棒状部材への物品の吊り下げによる荷重等、各種の力が棒状部材に加えられた際、この棒状部材に作用する力を一対の挿入部の各内周面（例えば、その上面および下面）によって確実に受け止めることができる。これにより、架設部材に設けた状態の棒状部材の撓み変形に伴う各棒端部の変位の動きを、一対の挿入部の各内周面によって抑止するとともに、これらの各棒端部と一対の挿入部における各内周面との摩擦力によって、棒状部材の長手方向の移動を抑止することができる。この結果、一対の挿入部から棒状部材の各棒端部が抜け出る事態を確実に防止して、架設部材からの棒状部材の落下、延いては、一対の側板間からの棒状部材の落下を確実に防止することができる。
【００５７】
また、本発明の実施の形態では、閉塞板としての天板により、一対の側板同士を各嵌合凹溝に比べ上方の部位で連結して、これら一対の側板間における収納空間の上端を閉塞するとともに、これら一対の側板間の架設部材の上面に、この天板の下面を当接させている。これにより、一対の側板間に架設部材をその上方から閉じ込めることができ、この結果、これら一対の側板の上方から架設部材が抜け出る事態を防止して、この架設部材の落下防止作用を高めることができる。
【００５８】
さらに、本発明の実施の形態では、上述した天板（閉塞板）の下面に下向き嵌合凹溝を形成し、一対の側板間の架設部材における上端部を、この下向き嵌合凹溝に嵌合している。このため、一対の側板間に取り付けられた状態にある架設部材の面直方向への歪み変形等による変位を抑止することができる。この結果、一対の側板間に架設部材をより強固に支持できることから、この架設部材の落下防止作用をより高めることができる。
【００５９】
また、本発明の実施の形態では、上述した下向き嵌合凹溝が一対の側板の各嵌合凹溝と連続するようにしている。このため、一対の側板間に取り付けられた状態にある架設部材の上端部の全域を下向き嵌合凹溝に嵌合することができる。これにより、この架設部材の面直方向への歪み変形等による変位を、この架設部材の幅方向の全域に亘って確実に防止することができる。この結果、一対の側板間からの架設部材の落下をより確実に防止することができる。
【００６０】
さらに、本発明の実施の形態では、閉塞板としての天板を一対の側板のうちの一方の側板と接合した状態にし、この状態の天板における下向き嵌合凹溝に架設部材の上端部を嵌合している。このため、棒状部材とユニット化した架設部材の上端部および側端部を、この天板の下向き嵌合凹溝と、この一方の側板の嵌合凹溝とに各々簡易に嵌合することができる。これにより、これらの天板および側板に架設部材を取り付ける作業と、一対の側板間に架設部材を取り付ける作業とを簡易に行うことができる。この結果、棒状部材および架設部材を内壁面に備えた筐体を簡易に組み立てることができ、延いては、収納家具全体を簡易に組み立てることができる。
【００６１】
なお、上述した実施の形態では、架設部材３に形成される一対の挿入部１４，１５は、挿入される棒状部材２の長手方向に対して平行にしていたが、本発明は、これに限定されるものではない。本発明において、一対の挿入部１４，１５は、棒状部材２の長手方向に対して平行に形成されていなくてもよい。
【００６２】
図１１は、本発明の実施の形態にかかる収納家具の棒状部材および架設部材の各変形例を示す図である。図１２は、この変形例である架設部材の側端部が収納家具の側板の嵌合凹溝に嵌合された状態を例示する断面図である。例えば、図１１に示すように、架設部材３の各延出部位には、棒状部材２の長手方向に対して平行ではなく垂直または傾斜した態様の一対の挿入部１４，１５が形成されてもよい。この際、一対の挿入部１４，１５は、架設部材３の側端部３ａ，３ｂの各下面３ｄ，３ｅに各々開口する開口部１４ａ，１５ａを有していてもよい。また、これら一対の挿入部１４，１５は、図１１に示すように下面３ｄ，３ｅ側から架設部材３に取り付けられる棒状部材２の各棒端部２ａ，２ｂを各々挿入する挿入孔（貫通孔または非貫通孔）であってもよいし、これらの各棒端部２ａ，２ｂを各々嵌合する嵌合孔であってもよい。一方、棒状部材２の各棒端部２ａ，２ｂは、このような一対の挿入部１４，１５の構造に対応して、図１１に示すように、棒状部材２の長手方向に対し垂直または傾斜をなすよう屈曲したものであってもよい。
【００６３】
上述した変形例において、一対の側板５，６は、架設部材３の各側端部３ａ，３ｂを各嵌合凹溝１１，１２に各々嵌合して、架設部材３を挟持するとともに、図１１に示す屈曲態様の各棒端部２ａ，２ｂが各々挿入された一対の挿入部１４，１５の各開口部１４ａ，１５ａの一部を各々覆ってもよい。例えば、図１２に示すように、側板６は、架設部材３の側端部３ｂを嵌合凹溝１２に嵌合し、嵌合凹溝１２の受面１２ａによって架設部材３の下面３ｅを支持するとともに、棒状部材２の屈曲態様の棒端部２ｂが挿入された挿入部１５の開口部１５ａの一部を、この受面１２ａによって覆ってもよい。このような構成は、他方の側板５についても同様である。
【００６４】
一方、上述した実施の形態では、天板７の下面７ａに、幅方向Ｆ１の略全域に亘って延在する下向き嵌合凹溝１３が形成されているが、本発明は、これに限定されるものではない。本発明において、下向き嵌合凹溝１３は、天板７の下面７ａのうち、幅方向Ｆ１の一部領域に部分的に形成されてもよい。この場合、架設部材３は、天板７の下面７ａに部分的に形成された下向き嵌合凹溝１３に対応して、凸形状を部分的になす上端部３ｃを有するようにし、この上端部３ｃの凸形状部分を下向き嵌合凹溝１３に嵌合されてもよい。あるいは、下向き嵌合凹溝１３は、天板７の下面７ａに形成されていなくてもよい。この場合、架設部材３は、天板７に嵌合されずに、上端部３ｃの上面を天板７の下面７ａに当接させてもよい。
【００６５】
また、上述した実施の形態では、収納家具１の高さ方向Ｆ２に対して傾斜する態様の脚部９ａ〜９ｄが筐体４の底板８の外壁面（下面）に設けられているが、本発明は、これに限定されるものではない。本発明において、筐体４を支持して収納家具１を自立させる脚部の態様は、高さ方向Ｆ２に対して傾斜するものであってもよいし、高さ方向Ｆ２に対して平行なものであってもよい。また、このような収納家具１の脚部の数は、上述した４つに限らず、１つであってもよいし、複数（２つ以上）であってもよい。すなわち、本発明において、収納家具１の脚部の態様および数は、特に問われない。
【００６６】
さらに、上述した実施の形態では、奥行き方向Ｆ３の手前側および奥側の双方に対して収納空間１０を開放したタイプの筐体４を備える収納家具１を例示したが、本発明は、これに限定されるものではない。本発明において、収納家具１の筐体４には、奥行き方向Ｆ３の奥側に背面板を設けてもよいし、収納空間１０を開閉可能に遮蔽する扉等の遮蔽部材を設けてもよい。
【００６７】
また、上述した実施の形態では、架設部材３の上端部３ｃを嵌合する下向き嵌合凹溝１３を天板７の下面７ａに形成していたが、本発明は、これに限定されるこのではない。本発明において、収納家具１の筐体４は、収納対象の物品を載置する棚板を天板７よりも下方の部位に備え、この棚板の下方に、棒状部材２に吊り下げて収納する物品（例えば図８に示すような衣服等の物品２０）の収納空間１０を形成してもよい。この棚板の下面に下向き嵌合凹溝１３が形成されてもよい。
【００６８】
また、上述した実施の形態により本発明が限定されるものではなく、上述した各構成要素を適宜組み合わせて構成したものも本発明に含まれる。その他、上述した実施の形態に基づいて当業者等によりなされる他の実施の形態、実施例および運用技術等は全て本発明に含まれる。
【符号の説明】
【００６９】
１  収納家具
２  棒状部材
２ａ，２ｂ  棒端部
２ｃ  中途部
３  架設部材
３ａ，３ｂ  側端部
３ｃ  上端部
３ｄ，３ｅ  下面
４  筐体
５，６  側板
５ａ，６ａ  内壁面
７  天板
７ａ  下面
８  底板
９ａ，９ｂ，９ｃ，９ｄ  脚部
１０  収納空間
１１，１２  嵌合凹溝
１１ａ，１２ａ  受面
１３  下向き嵌合凹溝
１４，１５  挿入部
１４ａ，１５ａ  開口部
２０  物品
Ｆ１，Ｆ１１  幅方向
Ｆ２，Ｆ１２  高さ方向
Ｆ３  奥行き方向
【図１】
2016077802.tif 000003
【図２】
2016077802.tif 000004
【図３】
2016077802.tif 000005
【図４】
2016077802.tif 000006
【図５】
2016077802.tif 000007
【図６】
2016077802.tif 000008
【図７】
2016077802.tif 000009
【図８】
2016077802.tif 000010
【図９】
2016077802.tif 000011
【図１０】
2016077802.tif 000012
【図１１】
2016077802.tif 000013
【図１２】
2016077802.tif 000014